(57)【要約】      （修正有）【課題】支柱の下部に応力が集中することによる支柱の破損を十分に防止することができる物品収納棚を提供する。【解決手段】前後一対の支柱５をラチス６にて接続した支柱枠７を棚横幅方向に複数並べて設置し、棚前後幅方向及び棚上下幅方向に沿う姿勢で対向配置される第１抵抗板と第２抵抗板との間に粘性体を充填して構成される粘性体式の振動減衰装置１２を、支柱枠７における前後一対の支柱５の間に相当する箇所に、前後一対の支柱５を接続する支柱接続部分１９を備えた上下一対の支持枠体１７の一方にて第１抵抗板をかつ他方にて第２抵抗板を固定支持する状態で設ける。【選択図】図４
2008157337.tif 000002
【特許請求の範囲】
【請求項１】
前後一対の支柱をラチスにて接続した支柱枠を棚横幅方向に複数並べて設置して構成される物品収納棚であって、
棚前後幅方向及び棚上下幅方向に沿う姿勢で対向配置される第１抵抗板と第２抵抗板との間に粘性体を充填して構成される粘性体式の振動減衰装置が、前記支柱枠における前後一対の支柱の間に相当する箇所に、前後一対の支柱を接続する支柱接続部分を備えた上下一対の支持枠体の一方にて前記第１抵抗板をかつ他方にて前記第２抵抗板を固定支持する状態で設けられている物品収納棚。
【請求項２】
前記振動減衰装置が、前記支柱枠における前後一対の支柱の間であって、前記ラチスの存在箇所を外れた箇所に配置されている請求項１記載の物品収納棚。
【請求項３】
前記上下一対の支持枠体の夫々が、棚横幅方向において前記ラチスの両横側方箇所に位置する左右一対の枠体部にて前記第１抵抗板及び前記第２抵抗板を固定支持するように構成されている請求項２記載の物品収納棚。
【請求項４】
前記上下一対の支持枠体の夫々が、前記支柱枠における前後一対の支柱を接続する前記支柱接続部分及びその支柱枠接続部分に対して前記第１抵抗板及び前記第２抵抗板を接続する抵抗板接続部分を一体形成した台形状に形成されて、その長辺部の両端部が前後一対の支柱の夫々に各別に接続され、且つ、その短辺部が前記第１抵抗板及び前記第２抵抗板に接続されるように構成されている請求項１〜３のいずれか１項に記載の物品収納棚。
【請求項５】
前記支柱枠における下側部分に相当する箇所に、一つの前記振動減衰装置又は棚上下幅方向に並ぶ複数の前記振動減衰装置が設けられている請求項１〜４のいずれか１項に記載の物品収納棚。
【請求項６】
棚横幅方向に並ぶ複数の前記支柱枠の夫々に、前記振動減衰装置が設けられている請求項１〜５のいずれか１項に記載の物品収納棚。
【発明の詳細な説明】
【技術分野】
【０００１】
本発明は、前後一対の支柱をラチスにて接続した支柱枠を棚横幅方向に複数並べて設置して構成される物品収納棚に関する。
【背景技術】
【０００２】
かかる物品収納棚は、支柱枠に連結支持された腕木等に物品を載置支持させて物品を収納するように用いられるものである。
そして、このような物品収納棚においては、地震等により支柱枠が棚前後幅方向に振動した際に、支柱の下部に応力が集中して支柱が破損する可能性があるので、従来では、粘弾性体式の振動減衰装置を、ラチスと支柱との間や棚上下幅方向に並ぶ支柱同士の間等の物品収納棚の構造要素間に設けて、地震等により支柱枠が棚前後幅方向に振動した際に、粘弾性体に弾性変形を生じさせ、この粘弾性体の弾性変形により振動を減衰させて支柱の下部に集中する応力を抑制して、支柱の破損を防止するように構成されていた（例えば、特許文献１参照。）。
【０００３】
【特許文献１】特開２００３−１１８８１９号公報
【発明の開示】
【発明が解決しようとする課題】
【０００４】
しかしながら、上記した物品収納棚では、振動減衰装置が粘弾性体を弾性変形させることによって制振する粘弾性体式に構成されているから、支柱枠の棚前後幅方向の揺動により弾性変形した粘弾性体が自然状態に復帰する際に復帰付勢力が生じ、そして、この粘弾性体の復帰付勢力が作用する方向と支柱枠の揺動する方向とが同じ方向となって支柱にかかる負担を増加させる虞があり、支柱の破損を十分に防止することができないものであった。
【０００５】
本発明は、上記実状に鑑みて為されたものであって、その目的は、支柱の下部に応力が集中することによる支柱の破損を十分に防止することができる物品収納棚を提供する点にある。
【課題を解決するための手段】
【０００６】
この目的を達成するために、本発明にかかる物品収納棚は、前後一対の支柱をラチスにて接続した支柱枠を棚横幅方向に複数並べて設置して構成されたものであって、その第１特徴構成は、
棚前後幅方向及び棚上下幅方向に沿う姿勢で対向配置される第１抵抗板と第２抵抗板との間に粘性体を充填して構成される粘性体式の振動減衰装置が、前記支柱枠における前後一対の支柱の間に相当する箇所に、前後一対の支柱を接続する支柱接続部分を備えた上下一対の支持枠体の一方にて前記第１抵抗板をかつ他方にて前記第２抵抗板を固定支持する状態で設けられている点にある。
【０００７】
すなわち、粘性体式の振動減衰装置は、支柱枠における前後一対の支柱の間に相当する箇所に、上下一対の支持枠体の一方にて第１抵抗板が固定支持され、上下一対の支持枠体の他方にて第２抵抗板が固定支持されて、第１抵抗板と第２抵抗板とが棚横幅方向及び棚上下幅方向に沿う姿勢で対向配置されており、これら第１抵抗板と第２抵抗板との間に粘性体が充填されているから、地震等により支柱枠が棚前後幅方向に揺動した際に、第１抵抗板と第２抵抗板との棚前後幅方向での相対移動に対して粘性体の粘性せん断抵抗力を作用させて、この粘性体の粘性せん断抵抗力により振動を減衰させることにより、支柱の下部に応力が集中することを抑制するものである。
そして、粘性体式の振動減衰装置は、粘性体の粘性せん断抵抗力によって制振するものであるから、支柱枠の棚前後幅方向の揺動に伴って第１抵抗板と第２抵抗板とが相対移動したときに、それらが元の状態に戻す復帰付勢力を発生させることがないため、支柱枠の振動を減衰させる際に支柱にかかる負担が大きくなることを抑制できるものであり、支柱の下部の破損を十分に防止することができるものである。ちなみに、粘性せん断抵抗力の増減は粘性体の量や第１抵抗板と第２抵抗板との隙間を代えることによって容易に行うことができる。
もって、支柱の下部に応力が集中することによる支柱の破損を十分に防止することができる物品収納棚を提供することができるに至った。
【０００８】
本発明にかかる物品収納棚の第２特徴構成は、第１特徴構成において、前記振動減衰装置が、前記支柱枠における前後一対の支柱の間であって、前記ラチスの存在箇所を外れた箇所に配置されている点にある。
【０００９】
すなわち、支柱枠における前後一対の支柱の間に相当する箇所で且つラチスの存在箇所から外れた箇所に振動減衰装置を設けることによって、棚横幅方向視にて振動減衰装置をラチスと重複しないように設けることができるため、例えば、十分な振動減衰作用を備えさせるように振動減衰装置の棚横幅方向の寸法が大きくなったとしても、前後一対の支柱の間から棚横幅方向に突出することがない又は棚横幅方向に突出する量を小さくすることができ、もって、コンパクト化を図ることができる物品収納棚を提供することができるに至った。
【００１０】
本発明にかかる物品収納棚の第３特徴構成は、第２特徴構成において、前記上下一対の支持枠体の夫々が、棚横幅方向において前記ラチスの両横側方箇所に位置する左右一対の枠体部にて前記第１抵抗板及び前記第２抵抗板を固定支持するように構成されている点にある。
【００１１】
すなわち、上下一対の支持枠体の夫々を左右一対の枠体部にて構成して、その左右一対の枠体部をラチスの両横側方箇所に振り分けて位置させているため、上下一対の支持枠体が前後一対の支柱の間から棚横幅方向に突出することがない又は棚横幅方向に突出する量を小さくすることができながら、上下一対の支持枠体にて第１抵抗板又は第２抵抗板を強固に固定支持することができ、もって、コンパクト化を図りながらも振動減衰装置を強固に固定支持することができる物品収納棚を提供することができるに至った。
【００１２】
本発明にかかる物品収納棚の第４特徴構成は、第１〜第３特徴構成のいずれか１つにおいて、前記上下一対の支持枠体の夫々が、前記支柱枠における前後一対の支柱を接続する支柱接続部分及びその支柱枠接続部分に対して前記第１抵抗板及び前記第２抵抗板を接続する抵抗板接続部分を一体形成した台形状に形成されて、その長辺部の両端部が前後一対の支柱の夫々に各別に接続され、且つ、その短辺部が前記第１抵抗板及び前記第２抵抗板に接続されるように構成されている点にある。
【００１３】
すなわち、上下一対の支持枠体の夫々が、支柱接続部分と抵抗板接続部分とを一体形成した台形状に形成されているから、支柱枠における前後一対の支柱の接続、並びに、支柱接続部分に対する第１抵抗板及び第２抵抗板の接続を台形状に形成された単一の支持枠体にて行うことができるため、上下一対の支持枠体を構成する部材の点数を減少させることができて上下一対の支持枠体の構成の簡素化を図ることができるものであり、もって、上下一対の支持枠体の構成の簡素化を図ることができる物品収納棚を提供することができるに至った。
【００１４】
本発明にかかる物品収納棚の第５特徴構成は、第１〜第４特徴構成のいずれか１つにおいて、前記支柱枠における下側部分に相当する箇所に、一つの前記振動減衰装置又は棚上下幅方向に並ぶ複数の前記振動減衰装置が設けられている点にある。
【００１５】
すなわち、支柱枠における下側部分に相当する箇所に振動減衰装置を設けると、支柱枠における上側部分に相当する箇所に振動減衰装置を設けた場合に比べて、支柱枠の振動を減衰させることができるから、支柱枠における下側部分に相当する箇所に一つの振動減衰装置又は棚上下幅方向に並ぶ複数の振動減衰装置を設け、支柱枠における上側部分に相当する箇所に、振動減衰装置を設けないことによって、数少ない振動減衰装置にて支柱枠の振動を効率よく減衰させることができ、もって、数少ない振動減衰装置にて支柱枠の振動を効率よく減衰させることができる物品収納棚を提供することができるに至った。
【００１６】
本発明にかかる物品収納棚の第６特徴構成は、第１〜第５特徴構成のいずれか１つにおいて、棚横幅方向に並ぶ複数の前記支柱枠の夫々に、前記振動減衰装置が設けられている点にある。
【００１７】
すなわち、振動減衰装置が棚横幅方向に並ぶ複数の支柱枠の夫々に設けられているから、棚横幅方向に並ぶ複数の支柱枠夫々の振動をその支柱枠に備えさせた振動減衰装置にて減衰させることができるため、棚横幅方向に並ぶ複数の支柱枠の夫々の振動を適確に減衰させることができ、もって、棚横幅方向に並ぶ複数の支柱枠の夫々の振動を適確に減衰させることができる物品収納棚を提供することができるに至った。
【発明を実施するための最良の形態】
【００１８】
以下、本発明にかかる物品収納棚を自動倉庫に適応した例を図面に基づいて説明する。
図１に示すように、自動倉庫は、互いに対向するように間隔を隔てる状態で設置された物品収納棚１と、その一対の物品収納棚１の間を棚横幅方向に沿って走行するスタッカークレーン２とを設け、スタッカークレーン２にて物品収納棚１とその物品収納棚１の横側方に設けられた荷受台３との間で物品を搬送するように構成されている。
【００１９】
物品収納棚１は、前後一対の支柱５をラチス６にて接続した支柱枠７を棚横幅方向に並べて設置して構成されており、前後一対の支柱５を接続するラチス６は、前側の支柱５と後側の支柱５とに亘って架設され且つ前倒れ姿勢のラチス６と後倒れ姿勢のラチス６とを交互に棚上下幅方向に並べる形態で各支柱枠７に複数備えられており、棚横幅方向に隣接する支柱枠７は、水平姿勢の梁部材８並びに傾斜姿勢のブレース９にて接続されている。また、支柱枠７には、前側の支柱５と後側の支柱５とに亘って複数の腕木１０が棚上下幅方向に連結支持されており、その腕木１０に物品を載置支持するように構成されている。ちなみに、ラチス６は支柱５に対してボルトにて連結されており、支柱枠７はトラス形式に構成されている。
【００２０】
図１に示すように、棚横幅方向に並ぶ複数の前記支柱枠７の夫々に、振動減衰装置１２が一つ設けられており、その支柱枠７の夫々に設けられる一つの振動減衰装置１２は、支柱枠７における下側部分に相当する箇所に設けられ、支柱枠７における上側部分に相当する箇所には振動減衰装置１２は設けられていない。
そして、図７に示すように、物品収納棚１には、棚前後幅方向及び棚上下幅方向に沿う姿勢で対向配置される第１抵抗板１３と第２抵抗板１４との間に粘性体１６を充填して構成される粘性体式の振動減衰装置１２が、図２に示すように、前記支柱枠７における前後一対の支柱５の間に相当する箇所に、前後一対の支柱５を接続する支柱接続部分１９を備えた上下一対の支持枠体１７の一方にて前記第１抵抗板１３をかつ他方にて前記第２抵抗板１４を固定支持する状態で設けられている。
【００２１】
振動減衰装置１２について説明を加えると、図６に示すように、振動減衰装置１２は、上面が開口した抵抗用ケーシング２１と、抵抗用ケーシング２１の開口から抵抗用ケーシング２１内に挿入される抵抗用部材２２と、抵抗用ケーシング２１内に充填された高粘性物質からなる粘性体１６とを備えて構成されており、抵抗用ケーシング２１における棚横幅方向の両側に位置する棚前後幅方向及び棚上下幅方向に沿う横側壁部分２１ａが第１抵抗板１３とし、抵抗用部材２２における抵抗用ケーシング２１の開口から挿入される棚前後幅方向及び棚上下幅方向に沿う板状部分２２ａを第２抵抗板１４として構成されている。
そして、抵抗用ケーシング２１は、棚上下幅方向並びに棚前後幅方向に大きく棚横幅方向に小さな薄型箱状に形成されており、横側壁部分２１ａが粘性体１６に接触する面積を広いものとしながらも、棚横幅方向の幅を支柱５の棚横幅方向の幅より小さく（図５（ロ）参照）なるように構成されている。また、抵抗用ケーシング２１の上部は、棚横幅方向に幅広に形成して粘性体１６を貯留することができるように構成されている。抵抗用部材２２には、抵抗用ケーシング２１内に塵埃が進入することを防ぐために抵抗用ケーシング２１の開口を上方側から塞ぐ蓋部分２２ｂが備えられている。
ちなみに、抵抗用部材２２の棚横幅方向の幅も支柱５の棚横幅方向の幅よりも小さくして、抵抗減衰装置１２の棚横幅方向の幅が支柱５の棚横幅方向の幅よりも小さくなるように構成されている。
【００２２】
図２に示すように、抵抗用ケーシング２１は、上下一対の支持枠体１７の一方である下方側の支持枠体１７にて支柱枠７に固定支持され、抵抗用部材２２は、上下一対の支持枠体１７の他方である上方側の支持枠体１７にて支柱枠７に固定支持されており、抵抗用ケーシング２１が下方側の支持枠体１７にて固定支持されることによって、抵抗用ケーシング２１の一部を構成する横側壁部分２１ａ（第１抵抗板１３）も下方側の支持枠体１７にて固定支持され、抵抗用部材２２が上方側の支持枠体１７にて固定支持されることによって、抵抗用部材２２の一部を構成する板状部分２２ａ（第２抵抗板１４）も上方側の支持枠体１７にて固定支持されている。
【００２３】
図５（ロ）及び図７に示すように、振動減衰装置１２の抵抗用ケーシング２１と抵抗用部材２２とは互いに接触しないように上下一対の支持枠体１７にて個別に支柱枠７に固定支持されており、抵抗用ケーシング２１と抵抗用部材２２とは相対的に移動自在であり、特に、抵抗用ケーシング２１の横側壁部分２１ａと抵抗用部材２２の板状部分２２ａとが棚前後幅方向に大きく相対移動できるように構成されている。また、抵抗用ケーシング２１内に充填された粘性体１６は、抵抗用ケーシング２１と抵抗用部材２２との間に充填されており、隙間が形成されている抵抗用ケーシング２１の横側壁部分２１ａと抵抗用部材２２の板状部分２２ａとの間にも充填されている。
【００２４】
そして、前記振動減衰装置１２が、前記支柱枠７における前後一対の支柱５の間であって、前記ラチス６の存在箇所を外れた箇所に配置されている。
つまり、図２〜４に示すように、振動減衰装置１２は、前後一対の支柱５の一方と前傾斜姿勢のラチス６と後傾斜姿勢のラチス６とに囲まれた三角形状に形成された空間に設けられており、具体的には、振動減衰装置１２は、前後一対の支柱５の後側の支柱５と下方側に位置する前傾斜姿勢のラチス６と上方側に位置する後傾斜姿勢のラチス６に囲まれた三角形状に形成された空間に前後一対の支柱５の中央よりも後側の支柱５側に片寄った位置に設けられている。
【００２５】
前記上下一対の支持枠体１７の夫々は、棚横幅方向において前記ラチス６の両横側方箇所に位置する左右一対の枠体部としての左右一対の台形状板１８にて前記第１抵抗板１３及び前記第２抵抗板１４を固定支持するように構成されている。
また、前記上下一対の支持枠体１７の夫々は、前記支柱枠７における前後一対の支柱５を接続する支柱接続部分１９及びその支柱接続部分１９に対して前記第１抵抗板１３及び前記第２抵抗板１４を接続する抵抗板接続部分２０を一体形成した台形状に形成されて、その長辺部の両端部が前後一対の支柱５の夫々に各別に接続され、且つ、その短辺部が前記第１抵抗板１３及び前記第２抵抗板１４に接続されるように構成されている。
【００２６】
上下一対の支持枠体１７について説明を加える。
上下一対の支持枠体１７の一方として、振動減衰装置１２より下方に位置して抵抗用ケーシング２１を固定支持する下方側の支持枠体１７が備えられている。そして、この下方側の支持枠体１７は、前傾斜姿勢のラチス６の横側方箇所に位置する左右一対の台形状板１８にて構成されており、下方側の支持枠体１７を構成する左右一対の台形状板１８の夫々が、下端に位置する長辺部が支柱接続部分１９として両端部が前後一対の支柱５の夫々に各別に接続され、且つ、上端に位置する短辺部が抵抗板接続部分２０として抵抗用ケーシング２１に接続されている。
また、上下一対の支持枠体１７の他方として、振動減衰装置１２より上方に位置して抵抗用部材２２を固定支持する上方側の支持枠体１７が備えられている。そして、この上方側の支持枠体１７は、後傾斜姿勢のラチス６の横側方箇所に位置する左右一対の台形状板１８にて構成されており、上方側の支持枠体１７を構成する左右一対の台形状板１８の夫々が、上端に位置する長辺部が支柱接続部分１９として両端部が前後一対の支柱５の夫々に各別に接続され、且つ、下端に位置する短辺部が抵抗板接続部分２０として抵抗用部材２２に接続されている。
つまり、下方側の支持枠体１７は、抵抗用ケーシング２１に左右一対の台形状板１８を接続することによって、抵抗用ケーシング２１の一部を構成する横側壁部分２１ａ（第１抵抗板１３）に左右一対の台形状板１８が間接的に接続され、上方側の支持枠体１７は、抵抗用部材２２に左右一対の台形状板１８を接続することによって、抵抗用部材２２の一部を構成する板状部分２２ａ（第２抵抗板１４）に左右一対の台形状板１８が間接的に接続されている。
【００２７】
図３に示すように、左右一対の台形状板１８は、支柱接続部分１９を棚横幅方向に互いに設定間隔隔てた状態で前後一対の支柱５に連結させ、抵抗板接続部分２０を棚横幅方向に互いに設定間隔隔てた状態で抵抗用ケーシング２１の下端部及び抵抗用部材２２の上端部に接続された連結用ブラケット２３に連結させて、左右一対の台形状板１８の間にラチス６を配設するための空間が形成される形態で、前後一対の支柱５を接続し且つ抵抗用ケーシング２１及び抵抗用部材２２を連結固定するように構成されている。
ちなみに、抵抗板接続部分２０と連結用ブラケット２３との間にはスペーサ２４が介在されている。
【００２８】
〔別実施の形態〕
（１）  上記実施の形態では、支柱枠７における下側部分に相当する箇所に一つの振動減衰装置１２を設けたが、支柱枠７における下側部分に相当する箇所と支柱枠７における上側部分に相当する箇所との両部分に振動減衰装置１２を設けてもよく、また、図８〜１１に示すように支柱枠７における下側部分に相当する箇所に棚上下幅方向に並ぶ複数の振動減衰装置１２を設けてもよい。要するに、支柱枠７に棚上下幅方向に並ぶ複数の振動減衰装置１２を設けてもよく、また、支柱枠７における上側部分に相当する箇所にも振動減衰装置１２を設けてもよい。
【００２９】
（２）  上記実施の形態では、支持枠体１７を支柱接続部分１９及び抵抗板接続部分２０を一体形成した台形状に形成したが、例えば、支持枠体１７を支柱接続部分１９及び抵抗板接続部分２０を一体形成した矩形状に形成する等、支柱接続部分１９及び抵抗板接続部分２０を台形状以外の形状に一体形成してもよい。
つまり、図８に示す上側の振動減衰装置１２を固定支持する下方側の支持枠体１７のように、支持枠体１７を支柱接続部分１９及び抵抗板接続部分２０を一体形成した矩形状の前後連結部材２６にて構成し、その矩形状の前後連結部材２６における棚前後幅方向の両端部を前後一対の支柱５の夫々に各別に接続し、且つ、矩形状の前後連結部材２６における上端部に抵抗用ケーシング２１を接続して、支持枠体１７を支柱接続部分１９及び抵抗板接続部分２０を一体形成した矩形状に形成してもよい。ちなみに、上方側の支持枠体１７を支柱接続部分１９及び抵抗板接続部分２０を一体形成した矩形状に形成する場合であれば、矩形状の前後連結部材２６の棚前後幅方向の両端部を前後一対の支柱５の夫々に各別に接続し、且つ、矩形状の前後連結部材２６における下端部に抵抗用部材２２を接続する。尚、支柱接続部分１９及び抵抗板接続部分２０を一体形成した台形状や矩形状に形成した支持枠体１７に孔を形成して軽量化を図ってもよい。
【００３０】
また、支持枠体１７における支柱接続部分１９及び抵抗板接続部分２０を別体形成してもよい。
つまり、例えば、図８に示す上側の振動減衰装置１２を固定支持する上方側の支持枠体１７や下側の振動減衰装置１２を固定支持する上下一対の支持枠体１７のように、前後一対の支柱５を接続する支柱接続部分１９として前後連結部材２６を備え、その前後連結部材２６に対して抵抗用ケーシング２１及び抵抗用部材２２を接続する抵抗板接続部分２０として傾斜姿勢の傾斜連結部材２７と垂直姿勢の垂直連結部材２８とを備えて、支柱接続部分１９と抵抗板接続部分２０とを別体形成してもよい。
そして、このように支柱接続部分１９と抵抗板接続部分２０とを別体形成した場合おいて、図８に示す上側の振動減衰装置１２を固定支持する上方側の支持枠体１７のように、抵抗板接続部分２０に備える傾斜連結部材２７を、垂直連結部材２８に対して棚前後幅方向の一方側（前後一対の支柱５に対して大きく離れる側）にのみ備えてもよく、図８に示す下側の振動減衰装置１２を固定支持する上下一対の支持枠体１７のように、抵抗板接続部分２０に備える傾斜連結部材２７を、垂直連結部材２８より一方側に位置する傾斜連結部材２７と垂直連結部材２８より他方側に位置する傾斜連結部材２７との前後一対備えてもよい。
ちなみに、図９に示す上側の振動減衰装置１２を固定支持する上方側の支持枠体１７は、図８に示す上側の振動減衰装置１２を固定支持する上方側の支持枠体１７と同様に構成されており、図１０に示す上側の振動減衰装置１２を固定支持する上下一対の支持枠体１７や下側の振動減衰装置１２を固定支持する上下一対の支持枠体１７は、図８に示す下側の振動減衰装置１２を固定支持する上下一対の支持枠体１７と同様に構成されている。
また、図８に示す上側の振動減衰装置１２と下側の振動減衰装置１２との間に位置する前後連結部材２６は、上側の振動減衰装置１２を固定支持する下方側の支持枠体１７における支柱接続部分１９及び抵抗板接続部分２０を一体形成した矩形状の前後連結部材２６と、下側の振動減衰装置１２を固定支持する上方側の支持枠体１７における支柱接続部分１９としての前後連結部材２６とを兼用している。
【００３１】
また、支持枠体１７における支柱接続部分１９及び抵抗板接続部分２０の一部を一体形成し、支持枠体１７における支柱接続部分１９の残る一部を別体形成としてもよい。
つまり、図９に示す上側の振動減衰装置１２を固定支持する下方側の支持枠体１７のように、支持枠体１７を支柱接続部分１９及び抵抗板接続部分２０の一部を一体形成した矩形状の前後連結部材２６にて構成し、抵抗板接続部分２０の残る一部を抵抗用ケーシング２１の棚前後幅方向の一方側に位置する傾斜連結部材２７にて構成してもよい。ちなみに、この場合、傾斜連結部材２７は抵抗用ケーシング２１の棚前後幅方向の一方側に備えられた連結用ブラケット２３に連結させてもよい。
【００３２】
また、図９に示す下側の振動減衰装置１２を固定支持する上下一対の支持枠体１７のように、支持枠体１７を、前後一対の支柱５を接続する支柱接続部分１９として前後連結部材２６を備え、その前後連結部材２６に対して抵抗用ケーシング２１及び抵抗用部材２２を接続する抵抗板接続部分２０として前後一対の傾斜姿勢の傾斜連結部材２７を備えて、垂直姿勢の垂直連結部材２８を備えずに支柱接続部分１９と抵抗板接続部分２０とを別体形成してもよい。
ちなみに、図１１に示す上側の振動減衰装置１２を固定支持する上下一対の支持枠体１７や下側の振動減衰装置１２を固定支持する上下一対の支持枠体１７は、図９に示す下側の振動減衰装置１２を固定支持する上下一対の支持枠体１７と同様に構成されている。
【００３３】
（３）  上記実施の形態では、図８〜１０に示すように、傾斜姿勢の傾斜連結部材２７を、支柱５における前後連結部材２６が連結された箇所の近傍に連結することによって、支柱５を介して前後連結部材２６に対して抵抗用ケーシング２１及び抵抗用部材２２を接続するように構成したが、図１１に示すように、傾斜姿勢の傾斜連結部材２７を、前後連結部材２６における支柱５に連結する箇所の近傍に連結して、支柱５を介することなく前後連結部材２６に対して抵抗用ケーシング２１及び抵抗用部材２２を接続するように構成してもよい。
【００３４】
（４）  上記実施の形態では、前後一対の支柱５を接続するラチス６を、前側の支柱５と後側の支柱５とに亘って架設し且つ前倒れ姿勢のラチス６と後倒れ姿勢のラチス６とを交互に棚上下幅方向に並べる形態で各支柱枠７に複数備えるように構成したが、図１０及び図１１に示すように、前後一対の支柱５を接続するラチス６を、前側の支柱５と下方側の支持枠体１７における前後連結部材２６とに亘って架設された前倒れ姿勢のラチス６と、後側の支柱５と下方側の支持枠体１７における前後連結部材２６とに亘って架設された後倒れ姿勢のラチス６と、前側の支柱５と上方側の支持枠体１７における前後連結部材２６とに亘って架設された後倒れ姿勢のラチス６と、後側の支柱５と上方側の支持枠体１７における前後連結部材２６とに亘って架設された前倒れ姿勢のラチス６との４本のラチス６を四角形状に配設する形態で各支柱枠７に複数備えるように構成してもよい。
このようにラチス６を備えることによって、振動減衰装置１２を前後一対の支柱の中央箇所に備え易くなる。
また、上記実施の形態では、ラチス６は支柱５に対してボルトにて連結して支柱枠７をトラス形式に構成したが、ラチス６を支柱５に溶接して支柱枠７をラーメン形式に構成してしてもよい。
【００３５】
（５）  上記実施の形態では、振動減衰装置１２を、支柱枠７における前後一対の支柱５の間であってラチス６の存在箇所を外れた箇所に設置したが、振動減衰装置１２を、支柱枠７における前後一対の支柱５の間であって、棚横幅方向にラチス６と並ぶ状態としてラチス６の存在箇所を外れない箇所に設置してもよい。
【００３６】
（６）  上記実施の形態では、支持枠体１７を、棚横幅方向においてラチス６の両横側方箇所に位置する左右一対の枠体部１８にて第１抵抗板１３及び第２抵抗板１４を固定支持するように構成したが、支持枠体１７を、棚横幅方向においてラチス６の横側方一方箇所に位置する枠体部１８にて第１抵抗板１３及び第２抵抗板１４を固定支持するように構成してもよい。つまり、左右一対の台形状板１８、左右一対の前後連結部材２６、左右一対の傾斜連結部材２７、及び、左右一対の垂直連結部材２８の夫々を、棚横幅方向においてラチス６の両横側方箇所に位置させたが、台形状板１８、前後連結部材２６、傾斜連結部材２７及び垂直連結部材２８を棚横幅方向においてラチス６の横側方一方箇所に位置させるように構成してもよい。
【００３７】
（７）  上記実施の形態では、棚横幅方向に並ぶ複数の支柱枠７の夫々に、振動減衰装置１２を設けたが、例えば、棚横幅方向に並ぶ複数の支柱枠７のうちの両端近くに位置する支柱枠７には振動減衰装置１２を設け、棚横幅方向に並ぶ複数の支柱枠７のうちの中央近くに位置する支柱枠７には振動減衰装置１２を設けない、また、振動減衰装置１２を設けた支柱枠７と振動減衰装置１２を設けない支柱枠７とを交互に並べる等、振動減衰装置１２を設けた支柱枠７と振動減衰装置１２を設けない支柱枠７とを設置して、棚横幅方向に並ぶ複数の支柱枠７の一部に、振動減衰装置１２を設けるようにしてもよい。
【００３８】
（８）  抵抗用部材２２に蓋部分２２ｂを備えた実施の形態において、抵抗用部材２２に蓋部分２２ｂを備えなくてもよく、また、抵抗用部材２２に蓋部分２２ｂを備えていない別実施の形態において、抵抗用部材２２に蓋部分２２ｂを備えてもよい。
【００３９】
（９）  上記実施の形態では、第２抵抗板１４を１枚備え、第１抵抗板１３を２枚備えさせたが、第２抵抗板１４を２枚以上備えてもよく、また、第１抵抗板１３を３枚以上備えてもよい。
【図面の簡単な説明】
【００４０】
【図１】自動倉庫の斜視図
【図２】振動減衰装置を固定支持した状態を示す側面図
【図３】振動減衰装置を固定支持した状態を示す斜視図
【図４】上下一対の支持枠体の分解斜視図
【図５】図２のＡ−Ａ断面図（イ）と図２のＢ−Ｂ断面図（ロ）
【図６】振動減衰装置の分解斜視図
【図７】振動減衰装置の縦断面図
【図８】別実施の形態の支持枠体を示す側面図
【図９】別実施の形態の支持枠体を示す側面図
【図１０】別実施の形態の支持枠体を示す側面図
【図１１】別実施の形態の支持枠体を示す側面図
【符号の説明】
【００４１】
１    物品収納棚
５    支柱
６    ラチス
７    支柱枠
１２    振動減衰装置
１３    第１抵抗板
１４    第２抵抗板
１６    粘性体
１７    支持枠体
１８    枠体部
１９    支柱接続部分
２０    抵抗板接続部分
【図１】
2008157337.tif 000003
【図２】
2008157337.tif 000004
【図３】
2008157337.tif 000005
【図４】
2008157337.tif 000006
【図５】
2008157337.tif 000007
【図６】
2008157337.tif 000008
【図７】
2008157337.tif 000009
【図８】
2008157337.tif 000010
【図９】
2008157337.tif 000011
【図１０】
2008157337.tif 000012
【図１１】
2008157337.tif 000013